(57)【要約】投影システムは、人間のフリッカの感度を超えるフレームレートを有するプロジェクタを有する。プロジェクタは、実際のビデオフレーム間で警告メッセージのフレームを有する。警告フレームは、人間にとって検出可能ではない。光源は、ムービーカメラ（たとえばカムコーダ）により検出可能であって、人間にとって検出不可能な波長及び強度で赤外線及び紫外線を放出する。
2010531617.tif 000002
【特許請求の範囲】
【請求項１】
人間のフリッカに対する感度を超えるフレームレートを有するプロジェクタと、前記プロジェクタは、実際のビデオフレームの間に警告メッセージのフレームを有し、前記警告メッセージのフレームは、人間にとって検出不可能であって、ムービーカメラにより検出可能であり、
前記ムービーカメラにより検出可能であって、人間にとって検出不可能な光をスクリーンに投影する少なくとも１つの光源と、
を有することを特徴とする投影システム。
【請求項２】
前記少なくとも１つの光源は、赤外線を投影する、
請求項１記載の投影システム。
【請求項３】
前記少なくとも１つの光源は、紫外線を投影する、
請求項１記載の投影システム。
【請求項４】
前記少なくとも１つの光源は、紫外線を投影する、
請求項２記載の投影システム。
【請求項５】
前記プロジェクタのフレームレートは、動作の過程で変化する、
請求項１記載の投影システム。
【請求項６】
前記少なくとも１つの光源は、赤外線を投影する、
請求項５記載の投影システム。
【請求項７】
前記少なくとも１つの光源は、紫外線を投影する、
請求項５記載の投影システム。
【請求項８】
前記少なくとも１つの光源は、紫外線を投影する、
請求項６記載の投影システム。
【請求項９】
前記赤外線は、赤外線がないことによリ形成される警告メッセージを与える少なくとも１つの赤外線の領域を前記スクリーンに含む、
請求項２記載の投影システム。
【請求項１０】
前記紫外線は、紫外線がないことによリ形成される警告メッセージを与える少なくとも１つの紫外線の領域を前記スクリーンに含む、
請求項３記載の投影システム。
【請求項１１】
前記紫外線は、紫外線がないことによリ形成される警告メッセージを与える少なくとも１つの紫外線の領域を前記スクリーンに含む、
請求項９記載の投影システム。
【請求項１２】
当該投影システムは、前記光を投影する少なくとも１つのミラーを更に含む、
請求項１記載の投影システム。
【請求項１３】
前記少なくとも１つのミラーは、前記光の少なくとも１つの領域において光がないことによる少なくとも１つの警告メッセージを前記スクリーンに形成する刻みを含む、
請求項１２記載の投影システム。
【請求項１４】
前記少なくとも１つのミラーは、前記スクリーンにわたり前記少なくとも１つの警告メッセージをスキャンする、
請求項１３記載の投影システム。
【請求項１５】
前記少なくとも１つの光源は、赤外線又は紫外線或いはその両者を投影する、
請求項１４記載の投影システム。
【発明の詳細な説明】
【技術分野】
【０００１】
本発明は、ビデオ録画防止システムに関する。特に、本発明は、違法なビデオ録画の防止について周波数領域のソリューションとスペクトル領域のソリューションの組み合わせに関する。
【背景技術】
【０００２】
携帯性の高いカムコーダの出現により、映画を見に行く人は、映画館で表示される映画のビデオコンテンツを不当に、且つ内々に捕捉することができる。係る行為に対抗する目的で、映画館のなかには、映画コンテンツの録画を防止するか、又はカムコーダにより捕捉された映像の品質を低下させるシステムを設けているものがある。アプローチは様々であるが、それぞれは、カムコーダの光学技術と人間の光学系との間の違いを利用することを試みている。
【０００３】
捕捉された映像の品質を低下させるため、映画館のなかには、紫外線又は赤外線の使用を利用するものがあり、その両者は、人間の光学系にとって目に見えないが、典型的なカムコーダにより検出可能であって録画可能である。紫外線（UV）又は赤外線（IR）は、映画コンテンツを録画しようとする人により検出される場合があり、係る人はそれらのカムコーダにスペクトルフィルタを実現する場合があるため、UV及びIRの使用は抑制される。
【０００４】
映画館のなかには、たとえばビデオの品質低下の一環として典型的なカムコーダにより検出可能であって録画可能な著作権侵害の警告を伝達する場合がある周波数変調の使用によりビデオ録画を防止することを試みるものがある。残念ながら、周波数変調方法は、カムコーダのシャッターメカニズムに依存し、聴衆にとって不快な視聴経験となる人間の光学系にとって目に見えるフリッカを導入するために抑制される。
【発明の概要】
【発明が解決しようとする課題】
【０００５】
したがって、改善されたビデオ録画防止システムを開発することが望まれる。
【課題を解決するための手段】
【０００６】
本発明は、録画装置により検出可能な周波数変調領域のコンポーネントとスペクトル領域のコンポーネントの組み合わせを有する録画防止装置に向けられる。
【図面の簡単な説明】
【０００７】
【図１】映画館を概念的に説明する図である。
【図２】本発明に係るスペクトル領域コンポーネントの実現の側面図である。
【図３】本発明に係る周波数変調領域のコンポーネントとスペクトル領域のコンポーネントの実現の上面図である。
【図４】本発明に係る周波数変調領域のコンポーネントとスペクトル領域のコンポーネントの実現の前面図である。
【発明を実施するための最良の形態】
【０００８】
図１は、以下に記載される周波数領域のソリューションのような反海賊行為のユーティリティを用いることができる劇場又は映画館１０のレイアウトを示す。図１に示されるように、本発明を採用する映画館１０は、映写室１２、階段における視聴者の座席１３、及びスクリーン１１に動画像２０を投影するプロジェクタ１４を含む。ここから、プロジェクタ１４におけるソフトウェア処理の使用により、周波数領域のソリューションの使用が可能になる。本発明の周波数領域のソリューションは、それぞれ統合システムとサンプリングである、人間の視覚系とカムコーダとの間の異なる固有の感度を利用する。これらの違いに照らして、警告メッセージのフレーム又は著作権侵害メッセージのフレームを、映画を見ている人がこれらのメッセージを知覚しないように、スクリーンの映画フレーム又は実際の映像フレームの間に含めることができる。他方で、これらのメッセージは、シャッター速度が十分に高速に設定される限り、ムービーカメラ又はカムコーダにより捕捉される。しかし、侵害者が警告メッセージのフレームを回避するためにシャッター速度を遅くするとき、ぼやけた動画を録画するカムコーダの傾向が増加する。
【０００９】
本発明の周波数領域のソリューションは、カムコーダが所定の条件下で動作されたときに経験するエイリアスのアーチファクトを利用することができる。エイリアスのアーチファクトに関して、シャノンの理論はカムコーダのサンプリングレートがエイリアスの影響の可能性を回避するためにフィルムレートの２倍のレートであるべきことを指摘することを理解することは重要である。係るように、本発明の鍵となる特徴は、高いフレームレートを使用することである。DLP（Digital  Light  Projection）（登録商標）技術は、動画像２０において１４４Ｈｚまでのフレームレートを容易に提供することができるため、係るフレームレートの使用は、カムコーダにおけるエイリアシングの可能性を増加するため、映画館で容易に実現することができる。カムコーダは、約６０Ｈｚで典型的にサンプリングする。好適な実施の形態では、フレームレートは、少なくとも１４４Ｈｚであり、これにより、より高いサンプリングレートの機能を有するカムコーダのエイリアシングを生じさせ、この周波数のソリューションを効果的にすることができる。
【００１０】
周波数領域の利点は、必要とされる余分のハードウェアが存在せず、このコンポーネントは、高いシャッター速度で非常に効果的であることであり、これは、カムコーダが警告メッセージのフレーム又は著作権侵害メッセージのフレームを捕捉するためである。さらに、シャッター速度が低速である場合（たとえば１５分の１秒又は６０分の１秒）、たとえ警告メッセージのフレーム又は著作権侵害メッセージのフレームがカムコーダにより捕捉されない場合であっても、カムコーダの録画の視聴者に対する画質は低下する。人間の視覚系について、フレームレートが約５０Ｈｚよりも下がるとき、個々のフレームはジッタとして人間にとって検出可能となる点を指摘することは重要である。
【００１１】
カムコーダのシャッター速度（開放の速度又は捕捉時間）は、ＣＣＤに収容することができる光の量を指示する。速い速度により少ない光が収容又は収集され、遅い速度により多くの光が収容又は収集される。このように、侵害者がぼやけを回避するため、又は警告メッセージのフレームを回避するためにシャッター速度を選択している場合、侵害者は、適切な画像の明るさ又はコントラストについて最適化されたカムコーダを有さない場合がある。
【００１２】
図２は、以下に記載される、スペクトル領域のソリューションと組み合わされる周波数領域のソリューションを採用する劇場又は映画館１０の側面図を示す。図２に示されるように、映画館１０は、映写室１２、階段における視聴者の座席１３、プロジェクタ１４及びスクリーン１１を有する。スペクトル領域のソリューションは、ハードウェアコンポーネントを必要とする。第一のコンポーネントは、ＵＶレーザである少なくとも１つのＵＶソース、及び／又はＩＲレーザである少なくとも１つのＩＲソースである。ＩＲソース１５ｂ及び／又はＵＶソース１５ａから構成される１又は複数のソースは、図３に示される。図２は、参照符号１５としてソースを示す。図２は、ＩＲ及びＵＶ光の両者を生成する１つの装置が存在する実施の形態を例示するため、或いは、映画館１０の正面の上に沿った位置を含む映画館１０における異なる位置で１又は複数のソースが配置される他の実施の形態を例示するために光源について１つのコンポーネントを示す。本発明は、スクリーン１１に向かってＩＲ及び／又はＵＶ光１６を集合的に投影するために使用される、映画館１０の天井に取り付けられる電子的に制御される回転ミラー（又は多面鏡或いは等価な機能）１７を更に含む。ＵＶ及び／又はＩＲ光１６は、スクリーンに入射し、次いで、潜在的に違法なビデオレコーダが捕捉するために映画館に伝播する。好適な実施の形態では、カムコーダにより検出可能であるが、映画を見ている人にとって目に見えない警告メッセージを含むことができる英数文字を、ミラーに刻むことができる。係る実施の形態では、全体のスクリーン１１は、ＩＲ又はＵＶ光で照射され、英数文字は、ＩＲ又はＵＶ光の欠如や不足のパターンを形成する。
【００１３】
図３は、好適な実施の形態における方法論の組み合わせの上面図を示す。周波数変調領域のコンポーネントは、スクリーン１１に投影されている動画像２０で捕捉される。本発明に係るスペクトル領域のコンポーネントは、映画館１０の正面の壁の反対側の位置されるＵＶソース１５ａとＩＲソース１５ｂに合わせて回転ミラー１７を利用する。ＵＶ光１６ａ及びＩＲ光１６ｂは、照明の壁の反対側から伝播するように示される。回転ミラーは、スクリーン１１に向けてＵＶ光１６ａ及びＩＲ光１６ｂを反射する。領域２１及び２２は、ＵＶ光１６ａ及びＩＲ光１６ｂに関連する画像をそれぞれ含み、これにより、ビデオ録画の品質が低下され、ビデオ録画が抑止される。
【００１４】
図４は、別の実施の形態に係る図３におけるスクリーンの正面図を示す。ＵＶ光１６ａ及びＩＲ光１６ｂは、全体のスクリーン１１に投影される。領域２１に示される英数文字の集合は、ＵＶ光１６ａにより照射されないスクリーン１１の一部である。領域２２に示される英数文字の集合は、ＩＲ光１６ｂにより照射されないスクリーン１１の一部である。係る実施の形態では、領域２１，２２は、互いに反対方向で往復にスキャンする。これらの領域２１，２２は、警告又は著作権のメッセージ、或いは映画を見ている人には見えないがカムコーダにとって知覚できる他の好ましくないマテリアルを含む。代替的な実施の形態は、ＵＶ光１６ａ及びＩＲ光１６ｂを受けるスクリーンの一部のみを含む。
【００１５】
さらに、図４における実施の形態は、周波数領域のソリューションを含み、この場合、動画像２０のうちの幾つかのフレームが警告メッセージ又は著作権侵害メッセージ２０ａをもつフレームを含み、これは、映画を見ている人には知覚されないが、十分の高速なシャッター速度が使用される場合にはカムコーダにとって知覚できる。係る周波数領域のソリューションがソフトウェアに基づく限り、警告メッセージは、任意の形状に操作することができる。
【００１６】
結果として、図２で記載されるこの環境で使用されるビデオレコーダ又はカムコーダは、（１）映画フレーム又は実際のビデオフレームの間にある（図４における侵害メッセージ２０ａのような）警告メッセージのフレーム、及び（２）スクリーンにわたりスキャニングするメッセージ領域２１，２２を有するＩＲ光及びＵＶ光の一貫したバックグランドにさらされる。
【００１７】
スペクトル領域のソリューションに関して、カムコーダにおけるシリコンセルの近赤外線領域（１ミクロン＝１０００ｎｍまで）における高い感度が利用される。このＩＲは、視聴者にとって目に見ることができないが、録画装置により捕捉可能である。ＵＶにおける感度は、ＩＲにおける感度に比べて比較的低いが、シリコンセルはそれでもＵＶ光を捕捉する。さらに、スペクトル成分は、シャッター速度に係らず効果的である。カムコーダの遅いシャッター速度は、画像全体が色あせることにつながる。速いシャッター速度を使用したカムコーダは、ミラー１７にメッセージが刻まれたとき、領域２１，２２において警告メッセージとして現れる英数文字を知覚するが、領域２１，２２は、映画を見る人にとって目に見えない。
【００１８】
周波数領域のソリューションとスペクトル領域のソリューションの組み合わせの実現は、それぞれのソリューションが他のソリューションの弱点を補償するために効果的であることが分かる。スペクトルコンポーネントの弱点は、カムコーダの前にある複数の波長領域のスタッキングフィルタに敗れることであるが、係るフィルタの使用は、可視光の透過を低減する。光の透過が低いことで、海賊行為者は、シャッター速度を遅くする必要があり、これは、ぼやけた画像の形式で画質を低下させる。周波数領域のコンポーネントの弱点は、遅いシャッター速度に敗れることであるが、シャッター速度が低いとき、カムコーダは、ＵＶ及びＩＲによるスペクトル領域のソリューションの影響を受ける。
【００１９】
要するに、周波数領域とスペクトル領域の方法の組み合わせにより、著作権侵害者は、映画館で映画を違法に録画することが大幅に困難となる。
【００２０】
上述した内容は、本発明を実施する可能性の幾つかを例示したものである。多くの他の実施の形態は、本発明の範囲及び精神において可能である。たとえば、カムコーダが繰り返し言及されたが、本発明は、他のタイプのビデオカメラに適用可能であることが意図される。さらに、他の実施の形態は、動作の過程において映画を見る人にとって知覚できないレートにプロジェクタのフレームレートを変えることを含み、これは、映画を表示する過程で映画のフレームレートが変化することを意味する、周波数領域のコンポーネントを破るためにシャッター速度又はサンプリングレートの観点で最適化された条件が映画の過程で変化するようにすることで、侵害者を混乱させるという意図された結果を有する。さらに、ＵＶ光１６ａ及びＩＲ光１６ｂの強度は、海賊行為者が異なる強度条件について正しいフィルタを発見及び使用することを更に困難にするため、集合的に、独立に、又はランダムに変化させることができる（すなわち、これらは同時に増加及び減少することができ、或いは、一方を増加して、他方は減少又は変化させないことができる）。本発明の別の態様は、警告メッセージのフレームは、必ずしも英数文字を含まないが、実際の映画のビデオフレームを見ている間に視聴者により見られた場合に視聴者にとって好ましくない内容を有するフレームを含むことが意図されることである。
【図１】
2010531617.tif 000003
【図２】
2010531617.tif 000004
【図３】
2010531617.tif 000005
【図４】
2010531617.tif 000006
【国際調査報告】
2010531617.tif 000007